(57)【要約】【課題】制限関係が発生する撮影条件の設定操作を効率的に行なうことが可能な撮影条件設定装置を提供することにある。【解決手段】例えばデジタルカメラなどの電子機器に適用し、撮影条件の項目を、撮影条件の設定画面（メニュー画面）上で選択して設定する場合に、他の設定条件により制限を受ける撮影条件を画面上で把握できる機能を実現した撮影条件設定装置である。この撮影条件設定装置は、ＣＰＵ１０をメイン要素とし、表示部１６に一方の撮影条件と制限対象の撮影条件とを同時に表示する第２の設定画面を表示する。【選択図】      図１
2006140786.tif 000002
【特許請求の範囲】
【請求項１】
撮影条件を設定するための第１の設定画面を表示手段に表示する第１の設定画面表示手段と、
前記第１の設定画面上で設定される撮影条件の中で、他の撮影条件の設定に制限を発生させる撮影条件、及び当該制限を受ける制限対象の撮影条件を判断する判断手段と、
前記第１の設定画面上で設定された撮影条件と前記制限対象の撮影条件とを同時に表示し、かつ当該各撮影条件を設定するための第２の設定画面を表示手段に表示する第２の設定画面表示手段と
を具備したことを特徴とする撮影条件設定装置。
【請求項２】
前記第２の設定画面表示手段は、前記制限対象の撮影条件の中で設定できない設定項目を、前記第２の設定画面上の表示対象から除外することを特徴とする請求項１に記載の撮影条件設定装置。
【請求項３】
前記第２の設定画面表示手段は、前記制限対象の撮影条件の中で設定できない設定項目を、前記第２の設定画面上で識別可能に表示することを特徴とする請求項１に記載の撮影条件設定装置。
【請求項４】
前記第１の設定画面上で、前記判断手段の判断対象である前記制限対象の撮影条件に対して選択指示がなされたときに、前記第２の設定画面を表示するように、前記第１及び第２の設定画面表示手段を制御する制御手段を備えたことを特徴とする請求項１に記載の撮影条件設定装置。
【請求項５】
撮影条件を設定するための第１の設定画面上に、当該撮影条件に含まれる項目を所定の順番で表示手段に表示する第１の設定画面表示手段と、
前記第１の設定画面上で設定される撮影条件の中で、他の撮影条件の設定に制限を発生させる撮影条件及び当該制限を受ける制限対象の撮影条件の組を同時に表示し、かつ当該各撮影条件を変更するための第２の設定画面を表示手段に表示する第２の設定画面表示手段と
を具備したことを特徴とする撮影条件設定装置。
【請求項６】
前記第２の設定画面上において、前記一方の撮影条件の設定により制限を受ける他方の撮影条件について、当該他方の撮影条件の制限を受けている項目への設定の指示があった場合には、
当該項目の設定を許可すると共に、前記一方の撮影条件に含まれる項目の中で、前記制限を解除できる項目に変更設定する制御手段を
さらに備えたことを特徴とする請求項５に記載の撮影条件設定装置。
【請求項７】
前記第２の設定画面表示手段は、
前記一方の撮影条件で変更設定された項目を識別可能に表示することを特徴とする請求項６に記載の撮影条件設定装置。
【請求項８】
前記請求項１から請求項７のいずれか１項に記載の撮影条件設定装置を備えたことを特徴とするカメラ。
【請求項９】
撮影条件を設定するための第１の設定画面を表示手段に表示し、
前記第１の設定画面上で設定される撮影条件の中で、他の撮影条件の設定に制限を発生させる撮影条件、及び当該制限を受ける制限対象の撮影条件を判断し、
前記第１の設定画面上で設定された撮影条件と前記制限対象の撮影条件とを同時に表示し、かつ当該各撮影条件を設定するための第２の設定画面を表示手段に表示する手順を実行することを特徴とする撮影条件設定方法。
【請求項１０】
カメラのコンピュータにより撮影条件設定を実行させるプログラムであって、
撮影条件を設定するための第１の設定画面を表示手段に表示する第１の設定画面表示ステップと、
前記第１の設定画面上で設定される撮影条件の中で、他の撮影条件の設定に制限を発生させる撮影条件、及び当該制限を受ける制限対象の撮影条件を判断する判断ステップと、
前記第１の設定画面上で設定された撮影条件と前記制限対象の撮影条件とを同時に表示し、かつ当該各撮影条件を設定するための第２の設定画面を表示手段に表示する第２の設定画面表示ステップと
を有する手順を前記コンピュータに実行させることを特徴とするプログラム。
【発明の詳細な説明】
【技術分野】
【０００１】
本発明は、一般的に電子機器に適用する撮影条件設定装置に関し、特に、カメラの撮影条件を設定するときの表示制御機能に関する。
【背景技術】
【０００２】
一般的に、例えばデジタルカメラでは、フラッシュ（ストロボ）条件や露出条件などの各種の撮影条件を、液晶表示器（ＬＣＤ）の設定画面上で設定できる。近年では、画像表示用の大型のＬＣＤを搭載し、機能の増大に伴う多くの撮影条件の設定における各種の表示方法を備えたデジタルカメラが開発されている。
【０００３】
例えば、画質・ホワイトバランス、感度・露出補正等の撮影条件を、画像の表示画面の下部に並列的に表示する表示方法が提案されている（例えば、特許文献１を参照）。このような表示方法であれば、同時に複数の撮影条件を確認することが可能である。
【０００４】
さらに、ＬＣＤの画面全体に、撮影条件に関する複数の項目が撮影条件設定シートを表示し、撮影条件の設定や確認を行なうことができる表示方法が提案されている（例えば、特許文献２を参照）。
【０００５】
また、撮影条件に関する表示の状態をツリー状に構成し、階層別に表示する表示方法が提案されている（例えば、特許文献３を参照）。このような表示方法であれば、個別の条件を確認しながら、設定することが可能となる。
【特許文献１】特開２００２−８４４４７号公報
【特許文献２】特開２００４−４５４９４号公報
【特許文献３】特開２００４−１８６７９８号公報
【発明の開示】
【発明が解決しようとする課題】
【０００６】
ところで、デジタルカメラなどの撮影条件の項目は、必ずしもそれぞれを独立して設定できるとは限らない。例えば、他の撮影条件の設定に従って、設定内容（項目）に制限を受ける撮影条件がある。具体例として、例えば「連写」の撮影条件を設定した場合に、当該連写を優先するカメラでは、フラッシュ（ストロボ）の設定が不可能になる。
【０００７】
カメラでは、このような制限を発生させる条件と、制限を受ける条件との組み合わせが存在する。しかしながら、従来のカメラ及び先行技術として提案されている表示方法において、当該撮影条件の組み合わせが、必ずしも明示的に表示されていない。このため、撮影者は、制限を受けた撮影条件を設定したときに、その設定が拒否されるが、当該拒否の理由がわからない状況になる。これは、結果として撮影条件の設定操作の効率低下を招くことになる。
【０００８】
そこで、本発明の目的は、制限関係が発生する撮影条件の設定操作を効率的に行なうことが可能な撮影条件設定装置を提供することにある。
【課題を解決するための手段】
【０００９】
本発明の観点は、例えばデジタルカメラなどの電子機器に適用し、撮影条件の項目を、撮影条件の設定画面（いわゆるメニュー画面）上で選択して設定する場合に、他の設定条件により制限を受ける撮影条件を画面上で把握できる機能を実現した撮影条件設定装置である。
【００１０】
本発明の観点に従った撮影条件設定装置は、撮影条件を設定するための第１の設定画面を表示手段に表示する第１の設定画面表示手段と、前記第１の設定画面上で設定される撮影条件の中で、他の撮影条件の設定に制限を発生させる撮影条件、及び当該制限を受ける制限対象の撮影条件を判断する判断手段と、前記第１の設定画面上で設定された撮影条件と前記制限対象の撮影条件とを同時に表示し、かつ当該各撮影条件を設定するための第２の設定画面を表示手段に表示する第２の設定画面表示手段とを備えた構成である。
【発明の効果】
【００１１】
本発明によれば、制限関係が発生する各撮影条件を同一の設定画面上に表示できるため、例えば制限を受ける撮影条件の設定状態（設定不可、設定可能、強制設定など）を画面上で容易に把握することができる。従って、結果として、撮影条件の設定操作を効率的に行なうことが可能となる。
【発明を実施するための最良の形態】
【００１２】
以下図面を参照して、本発明の実施形態を説明する。
【００１３】
（カメラの構成）
図１は、各実施形態に関する撮影条件設定機能を含むデジタルカメラの構成を示すブロック図である。
【００１４】
デジタルカメラは大別して、図１に示すように、撮影レンズ部１と、撮像素子２と、撮像回路３とを含む撮影系、画像処理系、制御系、電源系、画像表示部、及び着脱メモリ７を有する。
【００１５】
撮影レンズ部１は、ズームレンズやオートフォーカス（ＡＦ）レンズなどの光学レンズ系からなる。撮像素子２は、通常では数百万画素数の例えばＣＣＤ（Charge Coupled Device）、マイクロレンズ、カラーフィルタ、及び受光部を有する。撮像回路３は、撮像素子２から出力されるカラー画素信号を入力し、ＡＧＣ（Auto Gain Control）処理や、Ａ／Ｄ変換処理などの各種の信号処理を実行して、デジタル画像データを出力する。
【００１６】
画像処理系は、ＡＥ（automatic exposure:自動露出）処理部４、ＡＦ（auto focus:自動焦点調節）処理部５、及び画像処理回路６を含む。画像処理回路６は、ガンマ補正、ホワイトバランス処理、色処理などの画像処理を行なう。
【００１７】
制御系は、マイクロプロセッサ（ＣＰＵ）１０、モードスイッチ１２、操作部１１、及び内蔵メモリ１３を含む。モードスイッチ１２は、撮影や再生などのモードを切換え設定するためのスイッチである。操作部１１は、撮影条件を設定するためのメニューボタン11a、十字キー11b、及びＯＫボタン11cを含む。
【００１８】
ＣＰＵ１０は、前記の撮影系及び画像処理系等を制御すると共に、本実施形態に関する撮影条件設定機能を実現する処理を実行する。ＣＰＵ１０は、操作部１１、モードスイッチ１２、及びパワースイッチ１４からの各種の入力を受け付けて、それらに対応する各種の制御動作を実行する。
【００１９】
内蔵メモリ１３は、例えばフラッシュメモリ等からなり、ＣＰＵ１０で読み込まれて処理されるプログラムを格納する。
【００２０】
電源系は、充電式電池８、電源回路９、及びパワースイッチ１４を有する。電源回路９は、充電式電池８からの電力を各構成要素に供給する。
【００２１】
着脱メモリ７は、画像ファイルを保存するための着脱可能なメモリカード等の記録媒体である。画像表示部は、ＬＣＤモニタからなる表示部１６、及びＣＰＵ１０の制御に従ってＬＣＤモニタの駆動制御する表示駆動回路１５を有する。
【００２２】
（第１の実施形態）
図２及び図３は、第１の実施形態に関する撮影条件設定処理を説明するための図である。
【００２３】
以下、図２の表示部１６に表示される設定画面及び図３のフローチャートを参照して、本実施形態に関する撮影条件設定処理の手順を説明する。
【００２４】
なお、図２において、メニュー項目の斜線は、十字キー11bの操作に応じたカーソルの位置であり、その項目が指定されていることを示す。
【００２５】
まず、操作部１１のメニューボタン11aが押下げ操作されると、ＣＰＵ１０は、表示部１６に、例えば図２（Ａ）に示すように、通常メニュー表示用のメニュー画面を表示させる（ステップＳ１，Ｓ２）。ここで、当該メニュー画面上から、十字キー11b及びＯＫボタン11cの操作に応じて、ドライブ項目として例えば「連写」が選択されると、ＣＰＵ１０は撮影条件のドライブ項目として連写モードを設定する。
【００２６】
さらに、操作部１１の十字キー11bの操作に応じて、ＣＰＵ１０は、表示部１６に、例えば図２（Ｂ）に示すように、通常メニュー表示用の別のメニュー画面を表示させる（ステップＳ３のＮＯ）。
【００２７】
ここで、他の撮影条件として、フラッシュ（ストロボ）の項目（オンまたはオフ）を選択する場合を想定する。ＣＰＵ１０は、撮影条件の中で、設定された項目（ここでは連写）の影響により、制限を受ける項目（競合項目と表記する場合がある）が選択されたか否かを判断する（ステップＳ４）。
【００２８】
具体的には、ＣＰＵ１０は、予め内蔵メモリ１３に用意された撮影条件の競合関係を記録したテーブル情報を参照することにより、設定または選択された各項目の競合関係を判断する。競合関係とは、要するに、他の撮影条件（項目）の設定に制限を発生させる撮影条件と、当該制限を受ける制限対象の撮影条件（項目）との対応関係である。
【００２９】
ＣＰＵ１０は、判断結果が競合関係の場合には、図２（Ｃ）に示すように、設定されたドライブの項目（連写）と、競合項目（フラッシュ）とを並列した設定画面を表示部１６に表示させる（ステップＳ５）。ここで、撮影条件であるドライブ項目として「連写」が設定されている場合には、制限を受ける競合項目である「フラッシュ」は、「オン」の設定ができないため、設定画面上には「オフ」のボタンしか表示されない。
【００３０】
従って、撮影者は、ドライブ項目の「連写」の設定を優先させる場合には、競合項目である「フラッシュ」をオフ（設定不可）した状態で、メニュー操作（撮影条件の設定操作）を終了することになる（ステップＳ９のＹＥＳ）。
【００３１】
一方、操作部１１の十字キー11bの操作に応じて、ドライブ項目を「連写」から「単写」に設定の変更がなされると、ＣＰＵ１０は、競合関係の判断結果を変更して、選択された競合要因の１つである「フラッシュ」の選択項目としてオフ（設定不可）以外に、オン（設定可能）を追加する（ステップＳ６のＹＥＳ，Ｓ７）。
【００３２】
即ち、ＣＰＵ１０は、図２（Ｄ）に示すような設定画面を表示部１６に表示させる。（ステップＳ５）。この設定画面上において、撮影者が十字キー11bの操作により、競合要因の１つであるフラッシュのオン項目を選択して設定すると、ＣＰＵ１０は、撮影条件として、ドライブの項目「単写」と、フラッシュの項目を「オフ」から「オン」に変更して設定する（ステップＳ８）。
【００３３】
また、図２（Ｄ）に示す設定画面において、撮影者が十字キー11bの操作により、フラッシュのオン項目をオフ項目に変更された場合を想定する。この場合、ＣＰＵ１０は、図２（Ｅ）に示すように、ドライブの「単写」、「連写」、「ＢＫＴ（ブラケティング撮影）」のいずれもが選択可能な項目となる設定画面を表示部１６に表示させる。
【００３４】
以上のように第１の本実施形態によれば、撮影条件として設定された項目（例えばドライブの連写）に対して、競合関係となる項目（例えばフラッシュ）が選択された場合、各項目を並列（併記）した設定画面を表示部１６に表示する。この場合、競合の判断結果に基づいて、設定画面には、競合項目の制限された項目のみが表示される。即ち、ここでは、フラッシュのオフ項目（即ち、フラッシュの設定不可）のみが表示される。
【００３５】
従って、撮影者は、メニュー画面上で例えばフラッシュを選択したときに、ドライブの連写項目が設定されているため、フラッシュをオンできないことを、図２（Ｃ）に示す設定画面上から確認することができる。換言すれば、撮影条件として、ドライブの連写項目を優先すれば、フラッシュを使用できないことを、画面上から容易に確認できる。
【００３６】
また、図２（Ｄ）に示すように、撮影条件として、ドライブの連写項目を単写項目に変更すれば、競合関係が変更になり、フラッシュのオン項目が追加される。従って、撮影者は、画面上で、撮影条件として、フラッシュを使用できるドライブの項目を容易に確認することができる。
【００３７】
（第２の実施形態）
図４及び図５は、第２の実施形態に関する撮影条件設定処理を説明するための図である。
【００３８】
以下、図４の表示部１６に表示される設定画面及び図５のフローチャートを参照して、本実施形態に関する撮影条件設定処理の手順を説明する。
【００３９】
なお、図４において、メニュー項目の斜線は、十字キー11bの操作に応じたカーソルの位置であり、その項目が指定されていることを示す。
【００４０】
まず、操作部１１のメニューボタン11aが押下げ操作されると、ＣＰＵ１０は、表示部１６に、例えば図４（Ａ）に示すように、通常メニュー表示用のメニュー画面を表示させる（ステップＳ１１，Ｓ１２）。ここで、当該メニュー画面上から、十字キー11b及びＯＫボタン11cの操作に応じて、ドライブ項目として例えば「連写」が選択されると、ＣＰＵ１０は撮影条件のドライブ項目として連写モードを設定する。
【００４１】
さらに、操作部１１の十字キー11bの操作に応じて、ＣＰＵ１０は、表示部１６に、例えば図４（Ｂ）に示すように、通常メニュー表示用の別のメニュー画面を表示させる（ステップＳ１３のＮＯ）。
【００４２】
ここで、他の撮影条件として、フラッシュ（ストロボ）の項目（オンまたはオフ）を選択する場合を想定する。ＣＰＵ１０は、撮影条件の中で、設定された項目（ここでは連写）の影響により、制限を受ける項目（競合項目と表記する場合がある）が選択されたか否かを判断する（ステップＳ１４）。
【００４３】
具体的には、ＣＰＵ１０は、前述の第１の本実施形態と同様に、予め内蔵メモリ１３に用意された撮影条件の競合関係を記録したテーブル情報を参照することにより、設定または選択された各項目の競合関係を判断する。
【００４４】
ＣＰＵ１０は、判断結果が競合関係の場合には、図４（Ｃ）に示すように、設定されたドライブの項目（連写）と、競合項目（フラッシュ）とを並列した設定画面を表示部１６に表示させる（ステップＳ１５）。
【００４５】
ここで、撮影条件であるドライブ項目として「連写」が設定されている場合には、制限を受ける競合項目である「フラッシュ」は設定できないため、設定画面上には「オフ」のボタンしか表示されない。また、当該競合項目である「フラッシュ」の設定できない（オンできない）要因は、「連写」の設定であることを示すために、当該項目４０を例えば赤色で表示する。
【００４６】
従って、撮影者は、ドライブ項目の「連写」の設定を優先させる場合には、競合項目である「フラッシュ」をオフ（設定不可）した状態で、メニュー操作（撮影条件の設定操作）を終了することになる（ステップＳ１９のＹＥＳ）。
【００４７】
一方、操作部１１の十字キー11bの操作に応じて、図４（Ｃ）に示す状態で、ドライブ項目を「連写」から「単写」に設定の変更がなされことを想定する。ＣＰＵ１０は、競合関係の判断結果を変更して、図４（Ｄ）に示すように、選択された「フラッシュ」の選択項目としてオフ（設定不可）以外に、オン（設定可能）を追加する（ステップＳ１６のＹＥＳ，Ｓ１７）。
【００４８】
この設定画面上において、撮影者が十字キー11bの操作により、フラッシュのオン項目を選択して設定すると、ＣＰＵ１０は、撮影条件として、ドライブの項目「単写」と、フラッシュの項目を「オフ」から「オン」に変更して設定する（ステップＳ１８）。
【００４９】
以上のように第２の実施形態によれば、撮影条件として設定された項目（例えばドライブの連写）に対して、競合関係となる項目（例えばフラッシュ）が選択された場合、各項目を並列（併記）した設定画面を表示部１６に表示する。この場合、競合の判断結果に基づいて、設定画面には、競合項目の制限された項目（オフ）、及びその競合の要因が、「連写」の設定であることを示すために、当該項目４０を例えば赤色で表示する。
【００５０】
従って、撮影者は、メニュー画面上で例えばフラッシュを選択したときに、ドライブの連写項目が設定されているため、フラッシュをオンできないことを、図４（Ｃ）に示す設定画面上から確認することができる。換言すれば、撮影条件として、ドライブの連写項目を優先すれば、フラッシュを使用できないことを、画面上から容易に確認できる。
【００５１】
また、図４（Ｄ）に示すように、撮影条件として、ドライブの連写項目を単写項目に変更すれば、競合関係が変更になり、フラッシュのオン項目が追加される。従って、撮影者は、画面上で、撮影条件として、フラッシュを使用できるドライブの項目を容易に確認することができる。
【００５２】
（第３の実施形態）
図６及び図７は、第３の実施形態に関する撮影条件設定処理を説明するための図である。
【００５３】
以下、図６の表示部１６に表示される設定画面及び図７のフローチャートを参照して、本実施形態に関する撮影条件設定処理の手順を説明する。
【００５４】
なお、図６において、メニュー項目の斜線は、十字キー11bの操作に応じたカーソルの位置であり、その項目が指定されていることを示す。
【００５５】
まず、操作部１１のメニューボタン11aが押下げ操作されると、ＣＰＵ１０は、表示部１６に、例えば図６（Ａ）に示すように、通常メニュー表示用のメニュー画面を表示させる（ステップＳ２１，Ｓ２２）。ここで、当該メニュー画面上から、十字キー11b及びＯＫボタン11cの操作に応じて、ドライブ項目として例えば「連写」が選択されると、ＣＰＵ１０は撮影条件のドライブ項目として連写モードを設定する。
【００５６】
さらに、操作部１１の十字キー11bの操作に応じて、ＣＰＵ１０は、表示部１６に、例えば図６（Ｂ）に示すように、通常メニュー表示用の別のメニュー画面を表示させる（ステップＳ２３のＮＯ）。
【００５７】
ここで、他の撮影条件として、フラッシュ（ストロボ）の項目（オンまたはオフ）を選択する場合を想定する。ＣＰＵ１０は、撮影条件の中で、設定された項目（ここでは連写）の影響により、制限を受ける項目（競合項目と表記する場合がある）が選択されたか否かを判断する（ステップＳ２４）。
【００５８】
具体的には、ＣＰＵ１０は、前述の第１の本実施形態と同様に、予め内蔵メモリ１３に用意された撮影条件の競合関係を記録したテーブル情報を参照することにより、設定または選択された各項目の競合関係を判断する。
【００５９】
ＣＰＵ１０は、判断結果が競合関係の場合には、図６（Ｃ）に示すように、設定されたドライブの項目（連写）と、競合項目（フラッシュ）とを並列した設定画面を表示部１６に表示させる（ステップＳ２５）。
【００６０】
ここで、撮影条件であるドライブ項目として「連写」が設定されている場合には、制限を受ける競合項目である「フラッシュ」では「オフ」しか設定できないが、フラッシュの項目として、「オン」、「オフ」のいずれも表示している。この点が、前述の第１及び第２の実施形態とは異なっている。従って、撮影者は、ドライブ項目の「連写」の設定を優先させる場合には、競合項目である「フラッシュ」をオフ（設定不可）した状態で、メニュー操作（撮影条件の設定操作）を終了することになる（ステップＳ２９のＹＥＳ）。
【００６１】
一方、操作部１１の十字キー11bの操作に応じて、図６（Ｄ）に示すように、撮影者が、フラッシュの「オン」を選択すると、ＣＰＵ１０は、当該フラッシュのオン設定を許可する（ステップＳ２６のＹＥＳ，Ｓ２７）。
【００６２】
次に、ＣＰＵ１０は、フラッシュのオン項目とは競合関係になるドライブの「連写」項目をオフし、ドライブ項目として「単写」を設定する（ステップＳ２８）。この場合、ＣＰＵ１０は、撮影条件として、ドライブの項目を「単写」に変更して設定しことを、例えば点滅表示６０により表示させる。
【００６３】
以上のように第３の実施形態によれば、撮影条件として設定された項目（例えばドライブの連写）に対して、競合関係となる項目（例えばフラッシュ）が選択された場合、各項目を並列（併記）した設定画面を表示部１６に表示する。ここで、撮影者が、図６（Ｃ）に示す設定画面上から、競合関係となる項目（フラッシュ）を選択すると、当該選択項目が許可されて設定される。
【００６４】
一方、当該選択項目（フラッシュ）と競合関係であるドライブの連写項目から、当該競合関係を解除できる単写項目に変更する。換言すれば、撮影者の選択に従って、競合関係を解除できる撮影条件の項目（単写）に、強制的に変更して設定することになる。従って、撮影者は、画面上で撮影条件として、フラッシュを使用できるドライブの項目を容易に確認することができると共に、自動的な設定により当該項目に変更する操作を必要としない。
【００６５】
また、カメラ側で自動的に設定された項目内容も表示されるので、カメラの設定がどう変化したかも簡単に分かる。
【００６６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００６７】
【図１】本発明の各実施形態に関する撮影条件設定機能を含むデジタルカメラの構成を示すブロック図。
【図２】第１の実施形態に関する撮影条件設定処理に関係する表示画面の一例を示す図。
【図３】第１の実施形態に関する撮影条件設定処理の手順を説明するためのフローチャート。
【図４】第２の実施形態に関する撮影条件設定処理に関係する表示画面の一例を示す図。
【図５】第２の実施形態に関する撮影条件設定処理の手順を説明するためのフローチャート。
【図６】第３の実施形態に関する撮影条件設定処理に関係する表示画面の一例を示す図。
【図７】第３の実施形態に関する撮影条件設定処理の手順を説明するためのフローチャート。
【符号の説明】
【００６８】
１…撮影レンズ部、２…撮像素子、３…撮像回路、４…ＡＥ処理部、
５…ＡＦ処理部、６…画像処理回路、７…着脱メモリ、８…充電式電池、
９…電源回路、１０…マイクロプロセッサ（ＣＰＵ）、１１…操作部、
１２…モードスイッチ、１３…内蔵メモリ、１４…パワースイッチ、
１５…表示駆動回路、１６…表示部。
【図１】
2006140786.tif 000003
【図２】
2006140786.tif 000004
【図３】
2006140786.tif 000005
【図４】
2006140786.tif 000006
【図５】
2006140786.tif 000007
【図６】
2006140786.tif 000008
【図７】
2006140786.tif 000009